(57)【要約】  リングを周囲に有するネジ蓋を取り外すに際して、効率よくネジ蓋とリングを取り外すことの可能なキャップオープナーを提供する。  容器Ｃ１の口部に装着されたネジ蓋Ｃ２と、ネジ蓋Ｃ２の周囲に取り付けられて手動によるネジ蓋Ｃ２の開蓋を防止するリングＡと、を取り外すキャップオープナーであって、ネジ蓋Ｃ２に被せられるヘッドＢ１と、ヘッドＢ１から延出した一対のアームＢ２と、を備えており、ヘッドＢ１は、ネジ蓋Ｃ２の周面部Ｃ２２に圧接可能な当接部２と、ネジ蓋Ｃ２の頂面部Ｃ２１に対向する頂面対向部３と、頂面対向部３に設けられ、ネジ蓋Ｃ２の頂面部Ｃ２１を貫通可能な針部６と、リングＡに係合可能な係合部８と、を備え、一対のアームＢ２を閉じ方向に操作したとき、ネジ蓋Ｃ２の周面部Ｃ２２に当接部２が圧接すると共に、係合部８がリングＡと係合し、ネジ蓋Ｃ２とリングＡを同時に取り外すことを可能にした。
2017208460.tif 000002
【特許請求の範囲】
【請求項１】
容器の口部に装着されたネジ蓋と、このネジ蓋の周囲に取り付けられて手動によるネジ蓋の開蓋を防止するリングと、を取り外すためのキャップオープナーであって、
前記ネジ蓋に被せられるヘッドと、
前記ヘッドから延出した一対のアームと、を備えており、
前記ヘッドは、
前記ネジ蓋の周面部に圧接又は係合可能な当接部と、
前記ネジ蓋の頂面部に対向する頂面対向部と、
この頂面対向部に設けられ、前記ネジ蓋の頂面部を貫通可能な針部と、
前記リングに係合可能な係合部と、
を備え、
前記一対のアームを閉じ方向に操作したとき、前記ネジ蓋の周面部に前記当接部が圧接又は係合すると共に、前記係合部が前記リングと係合し、前記ネジ蓋と前記リングを同時に取り外すことを可能にしたことを特徴とするキャップオープナー。
【請求項２】
前記ヘッド、前記アーム、前記係合部は、樹脂により一体形成されていることを特徴とする請求項１に記載のキャップオープナー。
【請求項３】
前記頂面対向部は、前記針部の上端部を保持する針固定部と、この針固定部を支持する針支持部と、を備え、
前記針固定部には貫通孔が形成され、前記貫通孔は前記針固定部を上下に貫通し、
前記針部は管状部材からなり、前記針部の内部空間は前記針固定部の前記貫通孔に通じており、
前記針支持部は、前記ヘッドに一体形成されていることを特徴とする請求項１又は２に記載のキャップオープナー。
【請求項４】
前記ヘッドは上面視Ｃ字状に形成された枠部を備えており、前記一対のアームを操作することでＣ字の開いた箇所を閉じ方向に弾性変形させて、前記当接部を前記ネジ蓋の周面部に圧接又は係合可能であり、前記Ｃ字の開いた箇所と対向する側において、前記針支持部と前記枠部が一体形成により連結されていることを特徴とする請求項３に記載のキャップオープナー。
【請求項５】
前記針支持部は、上面視で円形状であり、前記一対のアームの閉じ操作を行う前の状態で、前記針支持部と前記枠部の間に円弧状の溝が形成されていることを特徴とする請求項４に記載のキャップオープナー。
【請求項６】
前記針固定部は、前記針支持部に被せられるキャップ状に形成されることを特徴とする請求項５に記載のキャップオープナー。
【発明の詳細な説明】
【技術分野】
【０００１】
本発明は、容器の口部に装着されたネジ蓋と、このネジ蓋に取り付けられて手動によるネジ蓋の開蓋を防止するリングと、を取り外すためのキャップオープナーに関する。
【背景技術】
【０００２】
かかるキャップオープナーとして、下記特許文献１に開示される構造が知られている。キャップオープナーで開蓋する容器は、焙煎済みのコーヒー豆であるが、かかるコーヒー豆は、炭酸ガスを放出する性質を有している。従って、焙煎済みのコーヒー豆を保管用の容器に充填すると、炭酸ガスにより内圧が高まる。従って、シール性を高めるため容器の口部はネジ蓋により強固に締められている。このネジ蓋をユーザーが手動で緩めるには、相当の握力・腕力を要する。そこで、専用の治具であるキャップオープナーを使用してネジ蓋を開くようにしている。このキャップオープナーは、針部を有しており、蓋を開く前に針部を刺して、内圧を開放するようにしている。【０００３】
上記のように、ネジ蓋は強固に締められており、専用のキャップオープナーにより開くものであるが、腕力があればユーザーが手動で開けることも可能になる。そうすると、内圧が外気圧よりも高い状態でネジ蓋をあけることになり、内容物が噴出してしまう問題が生じる。そこで、下記特許文献１では、ネジ蓋の周囲にリングを取り付けており、間違えて手動で開けることのないようにしている。そして、このリングもキャップオープナーを用いて取り外すようにしている。【０００４】
特許文献１においてのキャップオープナーの使用方法は、おおむね次の通りである。キャップオープナーは、ネジ蓋に被せられるヘッドと、一対のアームを備えている。このアームを手で持って閉じ操作することで、ヘッドの当接部をネジ蓋に圧接させる。その後、キャップオープナーを回転操作することで、ネジ蓋が容器の口部から取り外される。このとき、リングは口部に装着されたままである。そこで、キャップオープナーを再度容器の口部に装着し、ヘッドに設けられた係止部を操作して、係止部をリングに係止させて、リングを口部から取り外すようにしている。
【先行技術文献】
【特許文献】
【０００５】
【特許文献１】特許５８５９５５１号
【発明の概要】
【発明が解決しようとする課題】
【０００６】
上記の特許文献１に開示されるキャップオープナーの課題は次の通りである。すなわち、ネジ蓋を取り外す操作を行ってから、あらためてリングを取り外す操作が必要であり、操作に手間がかかるという問題がある。【０００７】
本発明は上記実情に鑑みてなされたものであり、その課題は、リングを周囲に有するネジ蓋を取り外すに際して、効率よくネジ蓋とリングを取り外すことの可能なキャップオープナーを提供することである。
【課題を解決するための手段】
【０００８】
上記課題を解決するため本発明に係るキャップオープナーは、
容器の口部に装着されたネジ蓋と、このネジ蓋の周囲に取り付けられて手動によるネジ蓋の開蓋を防止するリングと、を取り外すためのキャップオープナーであって、
前記ネジ蓋に被せられるヘッドと、
前記ヘッドから延出した一対のアームと、を備えており、
前記ヘッドは、
前記ネジ蓋の周面部に圧接又は係合可能な当接部と、
前記ネジ蓋の頂面部に対向する頂面対向部と、
この頂面対向部に設けられ、前記ネジ蓋の頂面部を貫通可能な針部と、
前記リングに係合可能な係合部と、
を備え、
前記一対のアームを閉じ方向に操作したとき、前記ネジ蓋の周面部に前記当接部が圧接又は係合すると共に、前記係合部が前記リングと係合し、前記ネジ蓋と前記リングを同時に取り外すことを可能にしたことを特徴とするものである。【０００９】
かかる構成によるキャップオープナーの作用・効果を以下説明する。このキャップオープナーは、ヘッドと一対のアームを備えている。ヘッドは、針部を備えており、この針部はネジ蓋の頂面部を貫通させることで、容器内の内圧を開放させることができる。またヘッドは、当接部を備えており、一対のアームを閉じ操作することで、当接部をネジ蓋の周面部に圧接または係合させることができる。従って、針部により内圧を開放した後に、ネジ蓋を開くことができる。また、ヘッドはリングに係合可能な係合部を備えている。この係合部は、当接部がネジ蓋に圧接又は係合するとともに、リングに係合するように構成されている。従って、ネジ蓋の取り外しと同時にリングも取り外すことができる。その結果、効率よくネジ蓋とリングを取り外すことの可能なキャップオープナーを提供することができる。【００１０】
本発明において、前記ヘッド、前記アーム、前記係合部は、樹脂により一体形成されていることが好ましい。【００１１】
これらの部分を一体形成することで、部品点数を減らし、コスト低減に寄与することができる。また、ヘッド、アーム、係合部が一体形成されているので、アームを操作することで、ヘッドの当接部と係合部が同時に動作する。従って、ネジ蓋とリングを同時に取り外すための構成を容易に実現することができる。【００１２】
本発明に係る前記頂面対向部は、前記針部の上端部を保持する針固定部と、この針固定部を支持する針支持部と、を備え、
前記針固定部には貫通孔が形成され、前記貫通孔は前記針固定部を上下に貫通し、
前記針部は管状部材からなり、前記針部の内部空間は前記針固定部の前記貫通孔に通じており、
前記針支持部は、前記ヘッドに一体形成されていることが好ましい。【００１３】
ヘッドに設けられる頂面対向部は、針固定部と、針支持部を有する。針固定部には、管状部材からなる針部が固定される。これにより、針部がネジ蓋の頂面部を貫通することで、内圧を針部を介して外部に解放することができる。また、針固定部は針支持部により支持され、針支持部はヘッドに一体形成される。一体形成させることで、部品コストの低減に寄与することができる。【００１４】
本発明において、前記ヘッドは上面視Ｃ字状に形成された枠部を備えており、前記一対のアームを操作することでＣ字の開いた箇所を閉じ方向に弾性変形させて、前記当接部を前記ネジ蓋の周面部に圧接又は係合可能であり、前記Ｃ字の開いた箇所と対向する側において、前記針支持部と前記枠部が一体形成により連結されていることが好ましい。【００１５】
ヘッドはＣ字状に形成された枠部を備えており、このＣ字形状の開いた箇所を一対のアームにより開いたり閉じたりさせることができる。閉じ操作をすることで、当接部がネジ蓋の周面部に圧接または係合するので、ネジ蓋を開く方向に操作することができる。また、針支持部は枠部と一体形成されているが、Ｃ字の開いた箇所と対向する側において連結される。かかる側は、アームの操作によって弾性変形しない箇所である。従って、アームの開閉操作に影響することなく、針支持部を枠部に連結した状態で形成することができる。【００１６】
本発明において、前記針支持部は、上面視で円形状であり、前記一対のアームの閉じ操作を行う前の状態で、前記針支持部と前記枠部の間に円弧状の溝が形成されていることが好ましい。【００１７】
かかる構成により、円弧上の溝を形成することで、アームを弾性変形させやすくなり、操作性が向上する。【００１８】
本発明において、前記針固定部は、前記針支持部に被せられるキャップ状に形成されることが好ましい。【００１９】
かかる構成にすることで、針部が固定されたキャップ上の針固定部を針支持部に被せるだけで組み立てることができる。
【図面の簡単な説明】
【００２０】
【図１】本発明の実施形態に係るキャップオープナー及び容器を示す斜視図
【図２】（ａ）はリングの斜視図、（ｂ）はリングの上面図、（ｃ）は（ｂ）のＷ−Ｗ線断面図である。
【図３】キャップオープナーを上方から見た分解斜視図
【図４】キャップオープナーを下方から見た分解斜視図
【図５】ヘッドを上面から見た平面図
【図６】ヘッドを下方から見た平面図
【図７】ヘッドの詳細構成を示す断面図（アームと直交する方向の断面図）
【図８】ヘッドの詳細構成を示す断面図（アームに沿った方向の断面図）
【図９】キャップオープナーによるネジ蓋の開放動作を示す図
【図１０】キャップオープナーによるネジ蓋の開放動作を示す図
【図１１】キャップオープナーによるネジ蓋の開放動作を示す図
【図１２】キャップオープナーによるネジ蓋の開放動作を示す図
【図１３】キャップオープナーによるネジ蓋の開放動作を示す図
【発明を実施するための形態】
【００２１】
本発明に係るキャップオープナーの好適な実施形態を図面を用いて説明する。このキャップオープナーは、図１に示すようにネジ蓋Ｃ２を取り外す際に使用されるものである。キャップオープナーは、ネジ蓋Ｃ２に回転トルクを付与することで、ネジ蓋Ｃ２を外すことができる。また、ネジ蓋Ｃ２の周囲に装着されるリングＡをネジ蓋Ｃ２と共に取り外すことができる。
【００２２】
＜容器およびネジ蓋＞
容器Ｃ１およびネジ蓋Ｃ２は、アルミニウム合金製であり、０．３５ＭＰａ以上の内圧に耐え得るように形成されている。容器Ｃ１には、焙煎済みのコーヒー豆が充填されている。コーヒー豆から放出された炭酸ガスにより、容器Ｃ１の内圧は、０．２５〜０．３５ＭＰａに達する場合がある。
【００２３】
容器Ｃ１の口部は、円筒状を呈していて、口部の外周面には、ネジ山が形成されている。ネジ蓋Ｃ２は、容器Ｃ１を封止するものである。ネジ蓋Ｃ２は、円板状の頂面部Ｃ２１と、頂面部Ｃ２１の縁部に形成された円筒状の周面部Ｃ２２とを備えていて、有蓋円筒状を呈している。周面部Ｃ２２の内周面には、ネジ山が形成されている。ネジ蓋Ｃ２は、容器Ｃ１にコーヒー豆を充填した後に、容器Ｃ１の口部に締着される。
【００２４】
＜リング＞
リングＡは、キャップオープナーＢ以外の手段（例えば、他の工具や人の手など）による開蓋を阻むための障害物であり、焙煎工場において容器Ｃ１の口部に装着される。リングＡは、容器Ｃ１の口部およびネジ蓋Ｃ２に対して回転自在であり、使用者がリングＡを回転させたとしても、回転トルクがネジ蓋Ｃ２に作用することはない。なお、コーヒー豆入りの容器Ｃ１は、その口部にリングＡが装着された状態で、市場を流通し、消費者に届けられる。
【００２５】
リングＡは、図２の（ａ）に示すように、リング本体Ａ１と、リング本体Ａ１から立ち上がる複数のガイド部Ａ２と、リング本体Ａ１からその径方向内側に向かって張り出す複数の張出部Ａ３とを備えている。リングＡは、合成樹脂製である。
【００２６】
リング本体Ａ１は、図２の（ｂ）に示すように、円筒部Ａ１１と、円筒部Ａ１１の上端部に形成されたフランジ部Ａ１２とを備えている。フランジ部Ａ１２は、円筒部Ａ１１の外周面から外側に向かって張り出している。図９に示すように、リング本体Ａ１は、ネジ蓋Ｃ２の外径よりも大きな内径に成形されており、リング本体Ａ１の内周面は、ネジ蓋Ｃ２の周面部Ｃ２２の下半部分に対向する。
【００２７】
複数のガイド部Ａ２は、図２の（ａ）に示すように、いずれも曲板状であり、リング本体Ａ１の周方向に間隔をあけて配置されている。図２の（ｂ）に示すように、ガイド部Ａ２は、フランジ部Ａ１２の外縁に沿って配置されている。各ガイド部Ａ２を上から見た形状は、円弧状である。図２の（ｃ）に示すように、各ガイド部Ａ２は、フランジ部Ａ１２の上面から上方に向かって略垂直に立ち上がっている。なお、ガイド部Ａ２を正面から見た形状は、矩形状である。図１０に示すように、ガイド部Ａ２は、ネジ蓋Ｃ２の周面部Ｃ２２から離れたところに位置し、ガイド部Ａ２の内周面は、周面部Ｃ２２の上半部分に対向する。
【００２８】
張出部Ａ３は、図２の（ａ）に示すように、円筒部Ａ１１の下端部の内周面から片持ち梁状に張り出している。張出部Ａ３は、平板状を呈しており、図２の（ｂ）に示すように、張出部Ａ３を上から見た形状は、矩形状である。張出部Ａ３は、円筒部Ａ１１の周方向に間隔をあけて複数配置されている。図１０に示すように、張出部Ａ３の先端は、容器Ｃ１の口部の根元に当接あるいは近接し、容器Ｃ２を運搬等している際にリングＡが口部から抜けようとしたときには、容器Ｃ１のネジ山やネジ蓋Ｃ２の下端に係合する。張出部Ａ３を設けておけば、リングＡが外れ難くなるので、リングＡが不意に脱落することを防止することができる。なお、図示は省略するが、容器Ｃ２の口部にフランジや段差が形成されている場合には、フランジ等に張出部Ａ３の先端を係合させてもよい。
【００２９】
＜キャップオープナー＞
キャップオープナーＢは、図１に示すように、ネジ蓋Ｃ２に被せられるヘッドＢ１と、ヘッドＢ１から延出した一対のアームＢ２，Ｂ２とを備えている。キャップオープナーＢは、容器Ｃ１の内圧を減圧する機能、ネジ蓋Ｃ２に回転トルクを付与する機能およびリングＡの取り外しをする機能を具備している。
【００３０】
図１は、キャップオープナーＢを上方から見た斜視図である。図３は、キャップオープナーＢを上方から見た分解斜視図である。図４は、キャップオープナーＢを下方から見た分解斜視図である。図５は、ヘッドＢ１を上面から見た平面図であり、図６は、ヘッドＢ１を下方から見た平面図である。
【００３１】
ヘッドＢ１は、上面視Ｃ字状の枠部１と、ネジ蓋Ｃ２の周面部Ｃ２２に圧接する当接部２と、ネジ蓋Ｃ２の頂面部Ｃ２１に対向する頂面対向部３と、頂面部Ｃ２１に貫入可能な針部４と、リングＡの外周に掛止可能な掛止部８とを備えている。また、図４に示すように、ヘッドＢ１の下面には、リングＡのガイド部Ａ２を挿入可能なガイド溝が形成されている。
【００３２】
アームＢ２、間隔をあけて並列されている。一方のアームＢ２は、枠部１の一方の端部に接続されており、他方のアームＢ２は、枠部１の他方の端部に接続されている。すなわち、各アームＢ２は、枠部１から片持ち状（カンチレバー状）に延出している。また、アームＢ２のうち、取っ手（握り）となる部分の表面には、滑り止めとなる複数の凸部を形成することが好ましい。
【００３３】
両アームＢ２の離間距離は、枠部１に近づくに従って漸減し、基端部（枠部１に隣接する部位）において最小となる。両アームＢ２を握り締めて両者を近接させると、枠部１から遠ざかるに従って接近量が大きくなる結果、両アームＢ２の離間距離は、枠部１に近づくに従って漸増し、基端部において最大となる。なお、アームＢ２の基端部における離間距離は、両アームＢ２を近接させた場合の方が、近接させない場合よりも小さくなる。なお、アームＢ２の形状は、種々変更可能であり、本実施形態に限定されるものではない。
【００３４】
ヘッドＢ１の枠部１と一対のアームＢ２は、例えば、熱可塑性の樹脂素材（例えば、ポリプロピレンなど）からなり、射出成型により一体形成される。枠部１に囲まれて、下面視円形状の空間Ｖ１が形成され、枠部１の両端部に挟まれた空間Ｖ２が形成される。空間Ｖ２の開口幅は、空間Ｖ１の直径よりも小さくなる。空間Ｖ１の上に被さるように針支持部３０が設けられる。
【００３５】
当接部２は、滑り止めゴム２０と、この滑り止めゴム２０が取り付けられるゴム取付部２１により構成される。滑り止めゴム２０は、ネジ蓋Ｃ２の周面部Ｃ２２に圧接可能に配置される。滑り止めゴム２０は、シリコンゴム等の弾性部材により形成される。滑り止めゴム２０は、平面視でＣ字状である。図６に示すように、中央部に係合突起２０ａが形成され、両端部にもＬ字状の係合突起２０ｂが形成されている。ゴム取付部２１にも、これら係合突起２０ａ、２０ｂが係合される係合溝２１ａ、２１ｂがそれぞれ形成される。また、滑り止めゴム２の周面には凹凸部２０ｃが形成されており、ゴム取付部２１に形成された凹凸部２１ｃにちょうど嵌まり込むように構成される。滑り止めゴム２０のゴム取付部２１への取り付けは、上記の係合機構のみでもよいが、接着等を併用することで、さらに強固に結合することができる。
【００３６】
ヘッドＢ１の下面には、リングＡのガイド部Ａ２を挿入可能なガイド溝１０が形成されている。ガイド溝１０は、２つ形成されており、３つあるガイド部Ａ２のうち、２つのガイド部Ａ２が挿入可能である。ガイド溝１０は、約９０度の円弧に形成されており、円周方向の長さは、ガイド部Ａ２の長さよりも少し長く、溝幅は、ガイド部Ａ２の幅よりも少し大きい。ガイド溝１０は、係合突起２０ａと係合部８の間の位置に形成される。
【００３７】
頂面対向部３は、針支持部３０を有しており枠体１と一体形成される。なお、枠体１はアームＢ２とも一体形成される。針支持部３０は、平面視で円形状に形成される。針支持部３０は、枠体１と連結部３１により連結されている。図５に示すように連通部３１は、針支持部３０の左側、すなわち、アームＢ２と反対側に位置する。角度で約９０度の範囲で針支持部３０が連結されている。これにより、枠体１との間に円弧状の溝３２が形成される。この溝３２が形成されることで、一対のアームＢ２が弾性変形しやすくなり、閉じ方向に操作しやすくなる。
【００３８】
図３に示すように、針支持部３０は、中央に円筒部３３を有し、円筒部３３の円周面に係合爪３４が３カ所形成されている。この係合爪３４は、キャップ７（針固定部に相当）を結合するために設けられる。また、針支持部３０の一番外周には立壁部３５が形成されている。
【００３９】
針部６は、管状部材に形成されており、内部に貫通孔が形成される。針部６は、ステンレス等の金属により形成される。針部６は、先端部６０は鋭利にカットされており、ネジ蓋Ｃ２の頂面部Ｃ２１に突き刺しやすい形状になっている。針部６の先端部６０の反対側は固定部６１であり、キャップ７に固定される箇所である。固定部６１には、円周方向に沿って溝が形成されている。
【００４０】
針カバー４は、針部６の先端にユーザーが不用意に触れることがないように針部６をカバーするものである。針カバー４には、中央部に針部６をガイドするためのガイド孔４０が形成される。針カバー４は、全体的にキャップ状に形成されており、フランジ部４１が形成されている。針支持部３０の円筒部３３内を針カバー４が上下スライド可能に挿入される。円筒部３３の端部には、抜け止め段部３６が形成されており、円筒部３３の内径よりも抜け止め段部３６の内径の方が少し小さくなっている。針カバー４のフランジ部４１の外径は、抜け止め段部３６の内径よりも大きいので、この抜け止め段部３６により針カバー４の下方への脱落が防止される。
【００４１】
キャップ７の中央部には、第１貫通孔７０と第２貫通孔７１が形成される。第１貫通孔７０の内径は、第２貫通孔７１の内径よりも大きい。第１貫通孔７０に、針部６の固定部６１が圧入されることで、第１貫通孔７０に針部６が固定される。径の異なる第１貫通孔７０と第２貫通孔７１を形成することで、段差が形成され、針部６を押しこんで圧入するときのストッパーとして機能させることができる。
【００４２】
針カバー戻しバネ５は、圧縮コイルバネであり、針カバー４を常時突出する方向、すなわち、針部６をカバーする方向に付勢する。針カバー戻しバネ５の一端部は、針カバー４の内部空間に挿入され、他端部は、バネ取り付け段部３７に取り付けられる。
【００４３】
キャップ７は、天面部７２と周面部７３を有する。天面部７２の中央に第２貫通孔７１が形成されている。周面部７３よりも下方で内径側に嵌合立壁部７４が形成される。この嵌合立壁部７４は、針支持部３０の立壁部３５の内径側に嵌合される。
【００４４】
図４に示すように、キャップ７の内側には、係合片７５が３カ所形成されている。係合片７５は、キャップ７の天面部７２の裏面側から垂直に伸びた薄片であり、弾性変形しやすいように形成される。それぞれの係合片７５には係合孔７５ａが形成され、針支持部３０の係合爪３４に係合される。かかる構成により、キャップ７が針支持部３０から脱落しないように構成される。
【００４５】
枠部１の裏面側には、係合部８が２カ所一体形成されている。係合部８は、係合爪８０を有し、リングＡのフランジ部Ａ１２の下部に入り込むことができる。一対のアームＢ２を閉じ操作することで、一対の係合部８も内側に移動し、リングＡのフランジ部Ａ１２の下部に入り込む。
【００４６】
＜キャップオープナーの使用方法＞
つぎに、本発明に係るキャップオープナーの使用方法を説明する。キャップオープナーＢ（図１等参照）の使用者がネジ蓋Ｃ２を取り外す際には、図９に示すように、まず、ヘッドＢ１をリングＡおよびネジ蓋Ｃ２の上に配置する。
【００４７】
次に、図１０に示すように、ガイド部Ａ２とキャップＣ２との間の空間Ｖ３に当接部２の下端部を挿入する。当接部２が空間Ｖ３に入り込むと、針部６の先端部６０がネジ蓋Ｃ２のほぼ中央部に位置するようになり、かつ、ヘッドＢ１の横移動が規制された状態となる。なお、ことの時は、針部６は針カバー４でカバーされた状態である。また、当接部２は空間Ｖ３の途中まで入り込んだ状態である。なお、リングＡの三つのガイド部Ａ２のうち、二つのガイド部Ａ２の上端部が、ヘッドＢ１に形成されたガイド溝１０に入り込んだ状態となる。残り一つのガイド部Ａ２の上端部は、Ｃ字状に形成された枠部１の開いた箇所にある空間Ｖ２に入り込んだ状態となる。
【００４８】
続いて、ユーザーは、ヘッドＢ１に対して下向きの力を付与する。ユーザーがヘッドＢ１に下向きの力を加えると、図１１に示すように、針部６の先端部６０が頂面部Ｃ２１を貫通し、ヘッドＢ１が下方向に移動するようになる。ユーザーがヘッドＢ１を下方向に移動させると、当接部２は、ガイド部Ａ２とネジ蓋Ｃ２との間に入り込んだ状態となり、ガイド部Ａ２は、その大部分がガイド溝１０に入り込んだ状態となる。このとき、針カバー４は、針カバー戻しバネ５の付勢力に抗して上方に移動し、円筒部３３の内径側に収容された状態となる。
【００４９】
針部６が頂面部Ｃ２１を貫通すると、容器Ｃ１内のガスが針部６の内部および第２貫通孔７１を通って外部に放出され、容器Ｃ１の内圧が減少する。
【００５０】
容器Ｃ１の内圧が解放されたら、ユーザーは、図１に示す一対のアームＢ２を握り締めて両者を近接させ、枠部１を縮径させる（矢印Ｄ）。ユーザーの握力で枠部１を縮径させると、枠部１の縮径に連動して当接部２が縮径し、図１１に示すように、当接部２の滑り止めゴム２０の表面がネジ蓋Ｃ２の周面部Ｃ２２に圧接するようになる。
【００５１】
また、係合部８が設けられている枠部１も縮径する（図１１の矢印Ｅ）。従って、係合部８の係合爪８０が、リングＡの円周部Ａ１１に近づくと共に、フランジＡ１２の下側にさらに入り込む。
【００５２】
その後、ユーザーは、当接部２が周面部Ｃ２２に圧接した状態を維持しつつ、ネジ蓋Ｃ２を中心にして一対のアームＢ２を旋回させ、当接部２を介してネジ蓋Ｃ２に回転トルクを付与する。なお、当接部２が周面部Ｃ２２に圧接した状態を維持する場合には、ユーザーが図１に示す一対のアームＢ２を継続して握り締める。あるいは、一対のアームＢ２を近接させた状態で係止させるロック部材（不図示）を用いれば、より操作性が向上する。
【００５３】
ネジ蓋Ｃ２に対して所定値以上の回転トルクが付与されると、ネジ蓋Ｃ２の締付けが緩むので、図１３に示すように、ユーザーは、ネジ蓋Ｃ２を容器Ｃ１から容易に取り外すことができる。また、係合爪８０がリングＡを係止した状態で回転トルクが付与されるので、ネジ蓋Ｃ２と一緒にリングＡも取り外すことができる。従って、１回の操作でネジ蓋Ｃ２とリングＡを同時に取り外すことができ便利である。
【００５４】
＜別実施形態＞
当接部２の構成として、滑り止めゴム２０を設ける構成を説明したが、滑り止めゴム２０は必ずしも設けなくてもよい。滑り止めゴム２０を設ける以外に、表面を凹凸にしたり、滑り止めの表面処理を行うなどしてもよい。
【００５５】
本実施形態では、当接部２がネジ蓋Ｃ２に圧接する構成を説明したが、係合する構成を採用してもよい。例えば、周面部Ｃ２２に形成されたネジ山の凹凸に係合する係合部を当接部２に形成することができる。
【符号の説明】
【００５６】
Ａ        リング
Ａ１      リング本体
Ａ１１    円筒部
Ａ１２    フランジ部
Ｂ        キャップオープナー
Ｂ１      ヘッド
Ｂ２      アーム
Ｃ１      容器
Ｃ２      ネジ蓋
Ｃ２１    頂面部
Ｃ２２    周面部
１        枠部
２        当接部
３        頂面対向部
４        針カバー
５        針カバー戻しバネ
６        針部
７        キャップ（針固定部）
８        係合部
１０      ガイド溝
２０      滑り止めゴム
２１      ゴム取付部
３０      針支持部
３１      連結部
３２      溝
３３      円筒部
３４      係合爪
６０      先端部
６１      固定部
【図１】
2017208460.tif 000003
【図２】
2017208460.tif 000004
【図３】
2017208460.tif 000005
【図４】
2017208460.tif 000006
【図５】
2017208460.tif 000007
【図６】
2017208460.tif 000008
【図７】
2017208460.tif 000009
【図８】
2017208460.tif 000010
【図９】
2017208460.tif 000011
【図１０】
2017208460.tif 000012
【図１１】
2017208460.tif 000013
【図１２】
2017208460.tif 000014
【図１３】
2017208460.tif 000015
【国際調査報告】
2017208460.tif 000016
2017208460.tif 000017